(57)【要約】【課題】外観美麗なサッシなどにも適用できる建物開口部の密閉構造及びその製造方法を提供すること。【解決手段】本発明の建物開口部の密閉構造１０は、建物開口部１５の内周面１５ａに所定の隙間１７を空けて配設された枠体１９，２０と、枠体１９，２０の屋外Ａ側に配設された隙間１７の屋外Ａ側を閉塞する閉塞部材（例えば、防水テープ２２又は壁面材１１ａ）とを備えている。この建物開口部１５と枠体１９，２０と閉塞部材とにより形成された空間に発泡性樹脂５´が充填されて発泡体５が形成されている。【選択図】図１
2004346539.tif 000002
【特許請求の範囲】
【請求項１】
建物開口部の内周面に所定の隙間を空けて配設された枠体と、該枠体の屋外側に配設された前記隙間の屋外側を閉塞する閉塞部材とを備え、
前記建物開口部と枠体と閉塞部材とにより形成された空間に発泡性樹脂が充填されて発泡体が形成されていることを特徴とする建物開口部の密閉構造。
【請求項２】
前記閉塞部材は、防水テープ又は壁用面材であり、前記閉塞部材が防水テープである場合には、該防水テープの外面は外額縁により化粧されていることを特徴とする請求項１記載の建物開口部の密閉構造。
【請求項３】
建物開口部の内周面に所定の隙間を空けて枠体を配設し、屋外側から前記隙間を閉塞部材により閉塞した後、屋内側から発泡性樹脂を充填し、該発泡性樹脂を該隙間内で発泡させて該隙間に前記発泡性樹脂の発泡体を充填させることを特徴とする建物開口部の密閉構造の製造方法。
【請求項４】
前記閉塞部材は、防水テープ又は壁用面材であり、前記閉塞部材が防水テープである場合には、該防水テープは前記発泡性樹脂の注入前又は発泡後に外額縁により覆い隠すことを特徴とする請求項３記載の建物開口部の密閉構造の製造方法。
【発明の詳細な説明】
【０００１】
【発明の属する技術分野】
この発明は、建物の窓枠や戸枠などの開口部の密閉構造及びその製造方法に関する。
【０００２】
【従来の技術】
従来より、建物の外壁部に窓や出入り口などを設ける場合、開口部の端縁部には、窓枠や戸枠などの枠体を組み込んで施工するのが一般的である。そのため、これらの開口部と枠体との間には隙間が発生しやすい。
【０００３】
ここで、このような開口部と枠体との間の隙間を発泡性樹脂の発泡体で充填した密閉構造が提案されている（例えば、特許文献１参照。）。
【０００４】
この特許文献１に記載の発明によれば、図１に示すように、構造用の面材７、内装下地材８及び外壁材９等からなる建物壁体に開口部１が設けられ、その開口部１の周縁に木質の角材２を設け、同角材２に枠体としてのアルミサッシ３を室外Ａ側から取り付けている。
【０００５】
ついで、開口部１の室内Ｂ側にアルミサッシ３の表面を隠すように角材２とは隙間を空けて化粧材４を沿設するとともにその隙間に発泡性樹脂の発泡体５を充填させている。そして、この発泡体５として、例えば、ウレタン樹脂材料を用いることにより、ウレタン樹脂材料が発泡して固化するときの自己接着性にて、化粧材４、角材２及びアルミサッシ３を発泡体５により一体化させることにより密閉構造が得られている。その後、発泡体５の屋内Ｂ面側は額縁材６により化粧されている。
【０００６】
【特許文献１】
特開２０００−２４０３５７号公報
【０００７】
【発明が解決しようとする課題】
しかしながら、上記の特許文献１に記載の密閉構造は、アルミサッシ３を屋外側から取り付けた密閉構造のみを開示しており、その他の構造については具体的な開示していない。
【０００８】
また、上記の特許文献１に記載の密閉構造は、アルミサッシ３の冷却による結露発生を低減することを目的としており、アルミサッシ３の室内側の表面は、化粧材４、発泡体５、額縁材６などで覆い隠され、これによりアルミサッシ３の室内側の結露が防止されている。
【０００９】
このような構造では、アルミサッシ３の室内側が他の部材で覆い隠される必要があるので、例えば、外観を考慮した木製サッシなどに適用すると木製サッシが化粧材４等の他の部材により覆い隠されてしまい、木製サッシの外観をそのまま活用することができない。
【００１０】
そこで、この発明は、外観美麗なサッシなどにも適用できる建物開口部の密閉構造及びその製造方法を提供することを目的とする。
【００１１】
【課題を解決するための手段】
前記課題を解決するため、本発明は、建物開口部の内周面に所定の隙間を空けて配設された枠体と、該枠体の屋外側に配設された前記隙間の屋外側を閉塞する閉塞部材とを備え、前記建物開口部と枠体と閉塞部材とにより形成された空間に発泡性樹脂が充填されて発泡体が形成されていることを特徴とする建物開口部の密閉構造である。
【００１２】
このように構成することにより、建物開口部の内周面に窓枠を支持する枠体を配設しているので、室内側に他の部材を配する必要がない。また、この枠体の外周の建物開口部との隙間には発泡性樹脂が充填されて発泡体が形成されているので、この発泡体により建物開口部と枠体との間での密閉性を確保することができる。
【００１３】
これにより、木製サッシなどの外観美麗なサッシを用いても、その枠体の表面はそのまま屋内側に向けて露出させることが可能であり、サッシの外観をそのまま活用することができる。
【００１４】
なお、上述の発明において、閉塞部材としては防水テープや壁用面材等を用いることができ、閉塞部材として防水テープを用いる場合にはこの防水テープの外面は外額縁等により化粧させることができる。
【００１５】
このような建物開口部の密閉構造は、建物開口部の内周面に所定の隙間を空けて枠体を配設し、屋外側から前記隙間を閉塞部材により閉塞した後、屋内側から発泡性樹脂を注入し、該発泡性樹脂を該隙間内で発泡させて該隙間に前記発泡性樹脂の発泡体を充填させることにより製造できる。
【００１６】
ここで、この閉塞部材は、防水テープ又は壁用面材であり、前記閉塞部材が防水テープである場合には、該防水テープは前記発泡性樹脂の注入前又は発泡後に外額縁等により覆い隠すことができる。
【００１７】
【発明の実施の形態】
以下、本発明の具体的な実施の形態について図１〜図５を参照しつつ説明する。なお、従来技術と同一乃至は均等な部位部材は同一番号を付して説明する。
【００１８】
まず、図１及び図２はそれぞれ本発明の実施の形態に係る洋高窓系の木製サッシ一枚開きの建物開口部の密閉構造１０を説明する図であり、図１は、建物開口部の上縁部付近の縦断面図であり、図２は、建物開口部の一側縁部付近の平断面図である。
【００１９】
まず、図１において、外壁を構成する壁面材１１、石膏ボードなどの内装材１２及び角材１３などから構成される建物壁体１４には建物開口部１５が形成されている。この建物開口部１５には、合板製のスペーサ１６…などを介して洋高窓用の窓枠１８を支持する上枠体１９がそれぞれ皿木ねじ２１…により固定されている。ここで、符号１９ａで示される上枠体１９の屋内Ｂ側の表面は、内装材１２の表面１２ａと略面一である。
【００２０】
また、図２において、外壁を構成する壁面材１１、石膏ボードなどの内装材１２及び角材１３などから構成される建物壁体１４には建物開口部１５が形成されている。この建物開口部１５には、合板製のスペーサ１６…などを介して洋高窓用の窓枠１８を支持する縦枠体２０が皿木ねじ２１…により固定されている。ここで、符号２０ａで示される縦枠体２０の屋内Ｂ側の表面は、内装材１２の表面１２ａと略面一である。
【００２１】
また、上枠体１９の屋外Ａ側には、図１に示すように、防水テープ２２…を介在させて外額縁上枠２３が皿木ねじ２４により固定され、また、図２に示すように、縦枠体２０の屋外Ａ側には、防水テープ２２…を介在させて外額縁縦枠２５が皿木ねじ２４により固定されている。
【００２２】
ここで、スペーサ１６…は、建物壁体１４の開口面に沿って点在（図３参照）しており、各スペーサ１６とスペーサ１６との間には、スペーサ１６の厚みに相当する厚みｄの隙間１７が形成され、その隙間１７には発泡性樹脂が発泡された発泡体５が充填されて建物開口部の密閉構造１０が形成されている。また、図中符号３０はペアガラス窓を示し、符号３１は、ペアガラス窓３０を開閉するための把手である。
【００２３】
次にこのような建物開口部の密閉構造１０の作用について説明する。
【００２４】
このような建物開口部の密閉構造１０によれば、建物開口部１５の内周面に内装材１２と略面一にして窓枠１８を支持する枠体１９，２０を配設しているので、室内側に他の部材が配されずに、木製のサッシ枠の表面がそのまま室内に向けて露出して配設できるように構成されている。
【００２５】
また、この枠体１９，２０の外周面と建物開口部１５とで形成された隙間１７には発泡体５が充填され、この発泡体５は発泡性樹脂が充填されて発泡体とされたものであるので、この発泡体５により建物開口部１５と枠体１９，２０との間での密閉性を確保することができる。
【００２６】
これにより、木製サッシなどの外観美麗なサッシを用いても、その枠体の表面はそのまま屋内Ｂ側に向けて露出させることが可能であり、サッシの外観をそのまま活用することができる。
【００２７】
次にこのような建物開口部の密閉構造１０の製造方法の一例について説明する。
【００２８】
このような密閉構造１０は、建物開口部１５の内周面１５ａに複数のスペーサ１６…を介して枠体（上枠体１９及び縦枠体２０，２０）を配設して皿木ねじ２１などの固定手段により固定する。
【００２９】
これにより形成された枠体１９，２０，２０及び建物開口部１５の間の隙間１７の屋外Ａ側を、図４に示すように、屋外Ａ側から防水テープ２２を貼付することにより閉塞する。これにより、隙間１７の屋外Ａ側は閉鎖されて、この隙間１７は屋内Ｂ側のみに開口を有する。この隙間１７は、図３において斜線で示すように、ウレタンなどの発泡性樹脂が注入される注入範囲とされる。
【００３０】
ついで、図５に示すように、この隙間１７に屋内Ｂ側よりウレタンなどの発泡性樹脂５´を吐出ガン２６を用いて注入する。発泡性樹脂５´は隙間１７内で発泡して隙間１７は発泡体５により完全に充填される。
【００３１】
余剰の発泡体５が表面１２ａ、１９ａ、２０ａより屋内Ｂ側に突出されるが、余剰の発泡体５は適宜カッターナイフなどにより切削可能であり、切削除去後に内装材１２に跨って不図示の壁紙などの内装仕上げ材が貼付される。
屋外Ａ側に位置する防水テープ２２は発泡性樹脂５´の注入前又は発泡後に外額縁上枠２３及び外額縁縦枠２５によりそれぞれ屋外Ａ側から化粧することにより覆い隠される。
【００３２】
【変形例】
つぎに、変形例について図６及び図７を用いて説明するが、発明の実施の形態１と同一乃至は均等な部位部材は同一番号を付して説明する。
【００３３】
まず、図６及び図７はそれぞれ本発明の変形例に係る洋高窓系の木製サッシ一枚開きの建物開口部の密閉構造１０を説明する図であり、図６は、建物開口部の上縁部付近の縦断面図であり、図７は、建物開口部の一側縁部付近の平断面図である。
【００３４】
これらの図において、枠体１９，２０，２０及び建物開口部１５の間の隙間１７の屋外Ａ側は、発明の実施の形態の防水テープ２２に換えて、壁面材１１と同一又は異なってもよい外壁の一部を構成する壁面材（壁用面材）１１ａにより閉塞され、この壁面材１１ａは、外額縁上枠２３及び外額縁縦枠２５により皿木ねじ２４により固定されている。
【００３５】
また、これらの壁面材１１、１１ａの外側にタイル外壁１１ｂが固定されて外壁が構成されている。タイル外壁１１ｂと外額縁上枠２３及び外額縁縦枠２５との間には、弾性シーリング材２７を介在させて雨水の浸入が防止されている。
【００３６】
このように防水テープ２２に換えて壁用面材１１ａにより隙間の屋外Ａ側を閉鎖させても発明の実施の形態と略同一の作用効果を奏することができる。
【００３７】
以上、本発明の実施の形態を図面により詳述したが、本発明の具体的な構成はこの実施の形態に限られるものではなく、本発明の要旨を逸脱しない範囲の設計の変更等があっても本発明に含まれる。
【００３８】
例えば、以上の発明の実施の形態では、建物の窓枠について説明したが、戸枠であっても同様の作用効果を奏することができる。
【００３９】
【発明の効果】
以上説明してきたように、本発明によれば、外観美麗なサッシなどにも適用できる建物開口部の密閉構造及びその製造方法を提供することができる、という実用上有益な効果を発揮する。
【図面の簡単な説明】
【図１】本発明の実施の形態に係る建物開口部の密閉構造を説明する建物開口部の上縁部付近の縦断面図である。
【図２】本発明の実施の形態に係る建物開口部の密閉構造を説明する建物開口部の一側縁部付近の平断面図である。
【図３】本発明の実施の形態に係る建物開口部の密閉構造を製造する際の発泡性樹脂の注入範囲を説明する屋内側より見た正面図である。
【図４】図３のＡ−Ａ線で切断した場合の部分断面図である。
【図５】本発明の実施の形態に係る建物開口部の密閉構造を製造する際の発泡性樹脂の注入操作を説明する屋内側より見た斜視図である。
【図６】本発明の変形例に係る建物開口部の密閉構造を説明する建物開口部の上縁部付近の縦断面図である。
【図７】本発明の変形例に係る建物開口部の密閉構造を説明する建物開口部の一側縁部付近の平断面図である。
【図８】従来例に係る建物開口部の密閉構造を説明する建物開口部の縦断面図である。
【符号の説明】
Ａ：屋外
Ｂ：屋内
１：開口部
２：角材
３：アルミサッシ
４：化粧材
５：発泡体
６：額縁材
１０：密閉構造
１１：壁面材
１１ａ：壁面材（壁用面材）
１１ｂ：タイル外壁
１２：内装材
１３：角材
１４：建物壁体
１５：建物開口部
１６：スペーサ
１７：隙間
１８：窓枠
１９：上枠体（枠体）
２０：縦枠体（枠体）
２１：皿木ねじ
２２：防水テープ
２３：外額縁上枠
２４：皿木ねじ
２５：外額縁縦枠
２７：弾性シーリング材
３０：ペアガラス窓
３１：把手
【図１】
2004346539.tif 000003
【図２】
2004346539.tif 000004
【図３】
2004346539.tif 000005
【図４】
2004346539.tif 000006
【図５】
2004346539.tif 000007
【図６】
2004346539.tif 000008
【図７】
2004346539.tif 000009
【図８】
2004346539.tif 000010